(57)【要約】【課題】使用者が用意した旋律から、特定のテレビ番組に関する処理（再生、予約など）をする受信装置を提供する。【解決手段】音を収集し周波数分析により、旋律データを生成する旋律発生部１１０とネットワークからＷｅｂ情報、データ放送、チャンネル情報などの情報を収集し、特定のＴＶ番組と旋律データを関連付けて管理する情報取得部１００と、情報取得部１００で管理されている旋律データと旋律発生部１１０で発生した旋律データを比較し、一致している場合は受信装置を制御するための命令コマンドを出力するコマンド制御部１２０と、コマンド制御部１２０で出力された命令コマンドの実行日時をスケジュール管理し、モニタ表示する表示制御部１３０と、を備えた受信装置。【選択図】図２
2009260687.tif 000002
【特許請求の範囲】
【請求項１】
外部からの音を収集する音収集手段と、前記収集した音を一定の時間間隔で分割して音の周波数を解析する周波数分析手段と、前記周波数分析した周波数から旋律を抜き出して旋律データとして変換する旋律認識手段と、前記旋律認識手段で出力された旋律データと予め記憶されていた旋律データが一致するか否かを判断する旋律データ比較手段と、を備えた受信装置。
【請求項２】
前記旋律データ比較手段で予め記憶された旋律データに対して受信装置の動作の命令コマンドを保存する記憶制御手段と、前記命令コマンドに対して受信装置の動作を設定するコマンド設定手段と、を備えた請求項１記載の受信装置。
【請求項３】
ディジタル放送を受信しＴＳデコード後のデータから固有のテレビ番組の情報とｗｅｂ情報とチャンネル情報を取り出すテレビ番組情報取得手段と、前記テレビ番組情報取得手段で収集された情報と前記テレビ番組の情報に関係する旋律データをインターネットから探し出し、関連付けさせる情報管理手段と、を備えた請求項１または２に記載の受信装置。
【請求項４】
前記コマンド設定手段で設定された受信装置の動作を、決められた日時に実行するスケジュール管理手段と、前記スケジュール管理手段で実行される制御を表示する映像表示手段と、Ｗｅｂ情報をインターネットから取得するネットワーク手段と、を備えた請求項３記載の受信装置。
【請求項５】
前記情報管理手段で収集された旋律データをディジタル放送から受信することを特徴とする請求項２から４のいずれかに記載の受信装置。
【請求項６】
前記旋律認識手段で出力された旋律データを新たに保存することを特徴とする請求項２から５のいずれかに記載の受信装置。
【請求項７】
前記周波数分析手段で音の周波数以外を解析し旋律データとして変換することを特徴とする請求項１から６のいずれかに記載の受信装置。
【請求項８】
ＮＩＴのサービスＩＤと旋律データを対応させ、一つの旋律データが一つまたは複数のサービスＩＤと関連付けされることを特徴とする請求項１から７のいずれかに記載の受信装置。
【請求項９】
前記音収集手段と前記周波数分析手段と前記旋律認識手段とを備えた旋律発生部が複数あることを特徴とする請求項１から８のいずれかに記載の受信装置。
【発明の詳細な説明】
【技術分野】
【０００１】
本発明は、旋律を使用した音声認識から表示内容を切り替える受信装置に関するものである。
【背景技術】
【０００２】
テレビ番組のチャンネルサーチや録画設定を行うには、決められた手順に従って使用者が行わなければならない。使用者の負担なくチャンネルサーチや録画を行う手段として音声認識が考えられている。音声認識で特定の地域に対するチャンネルを選局するために、単語の辞書を自動生成する方法がある（特許文献１）。
【特許文献１】特開２００３−２２３１８３号公報
【発明の開示】
【発明が解決しようとする課題】
【０００３】
しかしながら、上記従来の方法では、人による音声登録および認識を行うため複数人が会話する環境で使用すると誤動作が生じることがあった。特に音声の単語辞書作成では、人が発声する煩わしさがあるため、詳細な設定を行うには使用者に負担がかかるという問題があった。また、移動受信やテレビ番組の編成などで、場所や時間が変更した場合は再設定が必要になる問題があった。
【０００４】
本発明は以上の課題を解決することを目的とするものであり、特定のテレビ番組に固有のＩＤとして旋律データを割り当てることで、場所や時間に限定されることなく、所定の表示内容を切り替える受信装置を提供することにある。
【課題を解決するための手段】
【０００５】
本発明に係る受信装置は、音を収集し周波数分析を行った後に旋律データを生成する旋律発生部と、ネットワークからＷｅｂ情報、データ放送、チャンネル情報などの情報を収集し、特定のＴＶ番組と旋律データを関連付けて管理する情報取得部と、前記情報取得部で管理されている旋律データと前記旋律発生部で生成された旋律データを比較し、一致している場合は受信装置を制御するための命令コマンドを出力するコマンド制御部と、出力された前記命令コマンドの実行日時をスケジュール管理し、モニタ表示する表示制御部と、を備える。
【発明の効果】
【０００６】
特定のテレビ番組に関しての情報を地域の受信チャンネルや番組内容を調べなくても知ることができ、番組予約や制約情報の解除などの設定を容易に実行することができる。
【発明を実施するための最良の形態】
【０００７】
（実施の形態１）
本発明を用いた旋律認識によるテレビ番組の選局、予約の切り替えるシステムの一例を
図１に示す。
【０００８】
この実施例では、人間による音声であるハミングと旋律だけの短い音楽であるメロディを使用して、データ放送や有料チャンネルの切り替え、テレビ番組の情報表示や予約を行うものである。テレビ００１に備えついているマイクロフォン００４で音収集を行っている。またテレビ００１はインターネットに接続でき、要求するテレビ情報を取得できる双方向通信の機能を用いていることが望ましい。テレビはインターネットもしくはディジタル放送のデータ受信から旋律データを取得保存できるものである。メロディを発するものとして、マイクロフォン付きリモコン００２を使用する。テレビＣＭ（Ｃｏｍｍｅｒｃｉａｌ  Ｍｅｓｓａｇｅ）やラジオ００６の歌番組からリモコン００２のマイク００５で音を収集し、メロディを作成する。またリモコンはパソコン００３などに接続し、インターネットから旋律データをダウンロードし、メロディを作成できるものである。
【０００９】
図２に実施の形態１の回路構成を示すブロック図を示す。テレビ番組情報に関連する旋律データを取得する情報取得部１００では、インターネットもしくはディジタル放送からデータを受信するネットワーク１０１と、各テレビ番組のＷｅｂ情報、データ放送、チャンネル情報、旋律データをそれぞれ受信し保存するＷｅｂ情報メモリ１０２、データ放送メモリ１０３、チャンネル情報メモリ１０４、旋律データメモリ１０５と、各メモリを管理し各データを関連付ける情報管理１０６で構成される。外部の音から旋律を生成する旋律発生部１１０では、マイクロフォンで音を収集しアナログデータをディジタルデータにＡＤ変換する音収集１１１と、ＡＤ変換された音データを複数の周波数に分析する周波数分析１１２と、分析された複数の周波数から音に関する周波数として旋律を抜き出す旋律認識から構成され、コマンド制御部１２０に旋律データとして出力される。コマンド制御部１２０では、情報取得部１００から旋律データと旋律データに関連するテレビ番組情報を読み込み、データ化して管理する記憶制御１２１と、命令コマンドに対して受信装置の動作を決定するコマンドテーブル１２２と、命令コマンドと関連付けて旋律データを保存する旋律記録１２３と、旋律記録１２３に記録されている旋律データと旋律発生部１１０から入力された旋律データを比較するデータ比較１２４と、データが一致した場合にその旋律データの命令コマンドを実行するコマンド設定１２５から構成される。表示制御部１３０では、コマンド設定１２５で実行された命令コマンドに対して、受信装置が動作する日程を管理するスケジューラ１３１と、データ放送、受信チャンネル、Ｗｅｂアドレスをそれぞれ制御するデータ放送制御１３２と、チャンネル選局制御１３３と、Ｗｅｂ情報制御１３４と、インターネットに接続するネットワーク１３５と、モニタ表示する１３６で構成される。
【００１０】
なお、記憶制御１２１は現在の受信放送からＮＩＴを読み込み、旋律データに関連するテレビ番組情報からサービスＩＤを旋律データに割り当てる機能ももつ。これにより旋律データは一つまたは複数のサービスＩＤと関連付けすることで、一つの放送エリアから他の放送エリアへの移動やテレビ番組内の突然の時間編成にも対応することができる。
【００１１】
ここで、情報取得部１００について詳細を説明する。情報取得部１００では、まずインターネットやディジタル放送受信の情報から、Ｗｅｂ情報、データ放送、チャンネル情報を取得する。Ｗｅｂ情報には、テレビ番組のホームページのＷｅｂアドレスが含まれており、インターネットでＷｅｂアクセスすることで、テレビ番組のホームページを閲覧することができる情報である。データ放送には、テレビ番組の番組内容や放送時間が含まれており、テレビ番組の概要を知ることができるサービス情報である。チャンネル情報には、放送局おおよびチャンネル番号やサービスＩＤやＥＰＧ（Ｅｌｅｃｔｒｏｎｉｃ  Ｐｒｏｇｒａｍ  Ｇｕｉｄｅ）番組表が含まれており、チャンネル選局に必要な情報である。この取得されたデータはそれぞれのメモリに格納されており、情報管理部１０６により、各テレビ番組に関する番組のタイトル、番組内容、放送時間、放送局およびチャンネル番号、サービスＩＤ、Ｗｅｂアドレス、そしてＥＰＧ番組表のデータとして整理され、ユニークなＩＤで関連付けされる。また各テレビ番組に関連する旋律データを、インターネットから取得、または受信装置の使用者独自で登録する。旋律データも、ユニークなＩＤと関連付けして管理する。なお、ユニークなＩＤと旋律データは同一のものとして捉えても良い。図３に一連の動作を示す。
【００１２】
次に旋律発生部１１０について詳細を説明する。処理の流れを図４に示す。旋律発生部１１０はまずマイクロフォンからの外部入力である音をＡＤ変換する。ＡＤ後の音データは音楽のメロディとして認識できる一定の時間間隔でＦＦＴにより周波数分析され、複数の周波数が取り出される。複数の周波数から音楽として意味のある周波数を旋律として抜き出し、音楽情報となる旋律データを生成する。例えば、図４では４つの周波数が示されているが、それぞれ音階で示すと「ラ」「ド」「レ」「ラ」である。このときの旋律データは、音楽のメロディとして音声出力できる状態である。
【００１３】
次にコマンド制御部１２０について詳細を説明する。図５に内部各ブロックの説明表を示し、図６にシーケンスのフローチャートを示す。旋律発生部１１０から入力された旋律データ（ステップ１）は、データ比較１２４にて旋律記録１２３に記録されていた旋律データと比較される（ステップ２）。一致した場合は、旋律データと関連付けされた受信装置の動作を示す命令コマンドを出力するか否かを、一致しない場合は入力された旋律データを保存するか否かを選択する（ステップ３）。旋律データが一致した後、コマンド設定１２５で関連付けられた命令コマンドを出力するか否かを選択し、出力しない場合は入力された旋律データを保存するか否かを選択する（ステップ４）。命令コマンドを出力する場合はコマンド設定１２５から出力され（ステップ５）、表示制御部へ命令コマンドを出力する（ステップ６）。一方、情報取得部１００で取得された旋律データ（ステップ７）は、記憶制御１２１で旋律データとユニークなＩＤとの関連付けを確認し（ステップ８）、受信放送によって作成されたＮＩＴ（図７参照）  と旋律データに対するサービスＩＤから、旋律データをＮＩＴに対応することができる（ステップ９）。ここで選択された旋律データは旋律記録１２３に出力され、旋律データを保存するか否かを選択する。これから、前述のステップ３，４で旋律データを保存するか否かを選択した場合は今後同一のステップを踏む（ステップ１０）。旋律を保存する場合は、コマンドテーブル１２２で命令コマンドに対する受信装置の動作を決定し（ステップ１１）、旋律記憶１２３で旋律データを命令コマンドに対応させて保存する（ステップ１２）。最後に、受信装置の誤動作対策のために旋律データが関連付け確認がせれ（ステップ１３）、関連付け未対応の場合は、再度ステップ７に戻され関連付けの確認が再度行われ、対応済みであれば終了する（ステップ１４）。
【００１４】
なお命令コマンドは受信装置の動作を示すものだが、図８（ｂ）に示すように、命令コマンドは複数存在するもので、旋律データとの関連付けは複数の命令コマンドの組み合わせによって決まる（図８（ａ）参照）。また、サービスＩＤを示す命令コマンドは常時更新され、新たにサービスＩＤが追加もしくは変更された場合は、サービスＩＤを示す命令コマンドも追加もしくは変更され、表示制御部１３０のスケジューラ１３１にも影響する。
【００１５】
次に表示制御部１３０について詳細を説明する。コマンド制御部１２０から出力された命令コマンドは、スケジューラ１３１で管理され、各命令コマンドによる受信装置動作のスケジューリングを行う。スケジューリングによって決定した実行開始時間に、データ放送の切り替えやチャンネル選局の制御やＷｅｂ情報の取得を行い、モニタに表示する。図９に旋律データに対する実行内容の表を示す。ここで実行内容に複数のサービスＩＤが存在する場合、受信感度（Ｃ／Ｎ）の良いチャンネルを選択するようになっている。また実行されるチャンネル番組の受信可能サービスＩＤが新たに追加された場合は、スケジューラによりサービスＩＤが追加される。
【００１６】
図１０にテレビ番組の視聴時間の変更や移動受信による受信エリアの変更でも視聴できるサービスＩＤの変更の概念を示す。高校野球などで中断のあるテレビ番組では、サービスＩＤが複数存在し、時間帯によってチャンネルを切り替える必要がある。本発明ではでは９：３０から１２：００まではサービスＩＤは１００１で、以後１３：００までは１１０１、１７：００までは１００１、２０：００までは１００１のように自動で切り替わる。また、同一のテレビ番組が県境等でサービスＩＤが異なる場合も、Ｃ／Ｎの値から自動で切り替わるように予約設定できる。
【産業上の利用可能性】
【００１７】
所望するテレビ番組に対する受信チャンネルを特定することが出来ない環境や、リモコンによる受信装置の制御を煩わしいと感じる環境や、移動受信などで所望するテレビ番組の受信チャンネルが変化する環境で、便利な受信装置として利用可能である。
【００１８】
また、暗号化など受信制限のある番組を解除する鍵として利用可能である。
【図面の簡単な説明】
【００１９】
【図１】本発明の実施例の旋律認識による具体的な動作を説明する図
【図２】本発明の実施の形態１の回路構成図
【図３】本発明の情報取得部１００の説明図
【図４】本発明の旋律発生部１１０の説明図
【図５】本発明のコマンド制御部１２０の各ブロックの動作説明図
【図６】本発明のコマンド制御部１２０の動作フローチャート
【図７】本発明のＮＩＴ説明図
【図８】本発明の命令コマンドの動作説明図
【図９】本発明の表示制御部１３０の説明図
【図１０】本発明のサービスＩＤ対応説明図
【符号の説明】
【００２０】
００１    受信装置
００２    受信装置用リモコン
００３    インターネット接続可能パソコン
００４    マイクロフォン
００５    マイクロフォン
００６    ラジオ
１００    情報取得部
１０１    ネットワーク
１０２    Ｗｅｂ情報メモリ
１０３    データ放送メモリ
１０４    チャンネル情報メモリ
１０５    旋律データメモリ
１０６    情報管理
１１０    旋律発生部
１１１    音収集
１１２    周波数分析
１１３    旋律認識
１２０    コマンド制御部
１２１    記憶制御
１２２    コマンドテーブル
１２３    旋律記憶
１２４    データ比較
１２５    コマンド設定
１３０    表示制御部
１３１    スケジューラ
１３２    データ放送制御
１３３    チャンネル選局制御
１３４    Ｗｅｂ情報取得
１３５    ネットワーク
１３６    モニタ表示
【図１】
2009260687.tif 000003
【図２】
2009260687.tif 000004
【図３】
2009260687.tif 000005
【図４】
2009260687.tif 000006
【図５】
2009260687.tif 000007
【図６】
2009260687.tif 000008
【図７】
2009260687.tif 000009
【図８】
2009260687.tif 000010
【図９】
2009260687.tif 000011
【図１０】
2009260687.tif 000012